(57)【要約】【課題】有色色材の色材量を調整し、全面の光沢差を解消することで印刷品質を向上するとともに、クリア色材のコストを抑えること。【解決手段】印刷制御装置は、印刷対象の画像データの光沢度の目標を示す光沢度目標値を決定する光沢度目標値決定部と、前記光沢度目標値に対し、複数の有色材の各有色材に配分する色材量である各有色材の色分解量を、前記複数の有色材の各色材量の総和に基づいて決定する色分解量決定部と、前記各有色材の色分解量に基づいて、複数の有色版データのそれぞれの間の色の置換を実行する色分解処理部と、色の置換が実行された複数の有色版データに基づいて、前記画像データを生成する画像データ生成部と、を備えた。【選択図】図１０
2014199644.tif 000002
【特許請求の範囲】
【請求項１】
印刷対象の画像データの光沢度の目標を示す光沢度目標値を決定する光沢度目標値決定部と、
前記光沢度目標値に対し、複数の有色材の各有色材に配分する色材量である各有色材の色分解量を、前記複数の有色材の各色材量の総和に基づいて決定する色分解量決定部と、
前記各有色材の色分解量に基づいて、複数の有色版データのそれぞれの間の色の置換を実行する色分解処理部と、
色の置換が実行された複数の有色版データに基づいて、前記画像データを生成する画像データ生成部と、
を備えた印刷制御装置。
【請求項２】
前記光沢度目標値決定部は、記録媒体の種類に応じて、前記光沢度目標値を決定する、
請求項１に記載の印刷制御装置。
【請求項３】
前記光沢度目標値決定部は、記録媒体に付与する表面効果の種類と前記表面効果を付与する前記記録媒体における領域とを特定する光沢制御版データに基づいて、前記光沢度目標値を決定する、
請求項１に記載の印刷制御装置。
【請求項４】
前記光沢度目標値決定部は、ユーザからの指示に応じて、前記光沢度目標値を決定する、
請求項１に記載の印刷制御装置。
【請求項５】
記録媒体に付与する表面効果の種類と前記表面効果を付与する前記記録媒体における領域とを特定する光沢制御版データに基づいて、特定の表面効果が付与される領域を抽出する表面効果領域抽出部、をさらに備え、
前記色分解量決定部は、抽出された領域に対して、前記各有色材の色分解量を決定し、
前記色分解処理部は、前記抽出された領域に対して、前記色分解量に基づいて、前記色の置換を実行する、
請求項１〜４のいずれか一つに記載の印刷制御装置。
【請求項６】
有色版データから特定の描画オブジェクトの領域であるオブジェクト領域を抽出するオブジェクト領域抽出部、をさらに備え、
前記色分解量決定部は、抽出されたオブジェクト領域に対して、前記各有色材の色分解量を決定し、
前記色分解処理部は、前記抽出されたオブジェクト領域に対して、前記色分解量に基づいて、前記色の置換を実行する、
請求項１〜５のいずれか一つに記載の印刷制御装置。
【請求項７】
前記複数の有色版データに対する色分解処理後の光沢度と、記録媒体に付与する表面効果の種類と前記表面効果を付与する前記記録媒体における領域とを特定する光沢制御版データによる光沢度と、前記光沢度目標値とに基づいて、クリア色材の色材量であるクリア色材量を決定するクリア色材量決定部と、
決定されたクリア色材量に基づいて、前記クリア色材量を調整するクリア色材量調整部と、
をさらに備えた請求項１〜６のいずれか一つに記載の印刷制御装置。
【請求項８】
前記複数の有色版データに対する色分解処理後の光沢度と、前記光沢度目標値との差分である乖離度を算出する乖離度算出部と、
前記乖離度に基づいて、前記画像データのプレビュー画像を生成するプレビュー画像生成部と、
前記プレビュー画像を表示する表示部と、
をさらに備えた請求項１〜７のいずれか一つに記載の印刷制御装置。
【請求項９】
前記プレビュー画像生成部は、前記乖離度が所定値以上の領域を区別して示した前記プレビュー画像を生成する、
請求項８に記載の印刷制御装置。
【請求項１０】
前記プレビュー画像生成部は、さらに、前記乖離度が所定値以上の画素の画素値と頻度の一覧を、前記プレビュー画像の一部として生成する、
請求項８または９に記載の印刷制御装置。
【請求項１１】
前記プレビュー画像生成部は、さらに、前記乖離度が０以上の画素について、ガマット上での位置と前記画像データ上の位置関係を示す画像を、前記プレビュー画像の一部として生成する、
請求項８〜１０のいずれか一つに記載の印刷制御装置。
【請求項１２】
前記乖離度算出部は、さらに前記乖離度を、立体的な高さ情報に変換し、
前記プレビュー画像生成部は、前記立体的な高さ情報を合成して前記プレビュー画像を生成する、
請求項８〜１１のいずれか一つに記載の印刷制御装置。
【請求項１３】
画像データを生成する印刷制御システムであって、
印刷対象の画像データの光沢度の目標を示す光沢度目標値を決定する光沢度目標値決定部と、
前記光沢度目標値に対し、複数の有色材の各有色材に配分する色材量である各有色材の色分解量を、前記複数の有色材の各色材量の総和に基づいて決定する色分解量決定部と、
前記各有色材の色分解量に基づいて、複数の有色版データのそれぞれの間の色の置換を実行する色分解処理部と、
色の置換が実行された複数の有色版データに基づいて、前記画像データを生成する画像データ生成部と、
を備えた印刷制御システム。
【請求項１４】
印刷対象の画像データの光沢度の目標を示す光沢度目標値を決定し、
前記光沢度目標値に対し、複数の有色材の各有色材に配分する色材量である各有色材の色分解量を、前記複数の有色材の各色材量の総和に基づいて決定し、
前記各有色材の色分解量に基づいて、複数の有色版データのそれぞれの間の色の置換を実行し、
色の置換が実行された複数の有色版データに基づいて、前記画像データを生成する、
ことを含む印刷制御方法。
【請求項１５】
印刷対象の画像データの光沢度の目標を示す光沢度目標値を決定し、
前記光沢度目標値に対し、複数の有色材の各有色材に配分する色材量である各有色材の色分解量を、前記複数の有色材の各色材量の総和に基づいて決定し、
前記各有色材の色分解量に基づいて、複数の有色版データのそれぞれの間の色の置換を実行し、
色の置換が実行された複数の有色版データに基づいて、前記画像データを生成する、
ことをコンピュータに実行させるためのプログラム。
【発明の詳細な説明】
【技術分野】
【０００１】
本発明は、印刷制御装置、印刷制御システム、印刷制御方法およびプログラムに関する。
【背景技術】
【０００２】
従来、シアン（Ｃ）、マゼンタ（Ｍ）、イエロー（Ｙ）、ブラック（Ｋ）の４色の有色トナーの他に、色材が入っていない無色のトナーであるクリアトナーを搭載した画像形成装置が存在する。このようなクリアトナーにより形成されたトナー像は、ＣＭＹＫの有色トナーにより画像が形成された転写紙上に定着され、この結果転写紙の面において視覚的な効果や触覚的な効果（表面効果という）が実現される。クリアトナーにどのようなトナー像を形成してどのような定着をさせるかによって、実現される表面効果が異なる。単純に光沢を与える表面効果もあれば、光沢を抑制する表面効果もある。また、全面に表面効果を与えるだけでなく、一部だけに表面効果を与えたり、クリアトナーによりテクスチャやウォータマークをつけたりする表面効果も求められている。また、表面保護を求める場合もある。また、定着制御のほか、グロッサや低温定着機などの専用の後処理機によって後処理を行うことで実現できる表面効果もある。近年では、例えば特許文献１に開示されているように、表面の一部の中でも望ましい部分にのみクリアトナーを付着させて光沢を与える技術が開発されている。
【０００３】
また、例えば特許文献２に開示されているように、光沢は、記録媒体に形成された画像の表面粗度の影響を受ける、即ち、ＣＭＹＫのトナーによって生じる表面の凹凸の影響を受ける。このため、クリアトナーの濃度に応じて単純に光沢の度合いが高くなるものではない。
【０００４】
即ち、光沢を与えるためには、画像の表面の平滑度をコントロールする必要がある。
このためには、クリアトナーを付着させる画素についてのＣＭＹＫの各濃度値や、画像形成装置に接続される後処理機の有無やその種類に合わせて、クリアトナーによるトナー像を形成するための画像データであるクリアトナー版の画像データを作成する必要があり、そのクリアトナー版の画像データの内容やクリアトナー版の画像データを作成する数、プリンタ機の制御や後処理機の制御等を細かく調整する必要がある。また、一般的な光沢度の特性としては、白紙や特にベタ部の光沢度が高く、中間色の光沢度が低いという傾向があるため、ベタ部の光沢度を目標とするようにクリアトナーの量を制御して、全面均一な光沢度になるような処理が必要と考えられ、既に知られている。
【発明の概要】
【発明が解決しようとする課題】
【０００５】
しかしながら、今までの光沢度の調整方法としては、特許文献３のようにクリアトナー量そのものを制御することで光沢差を解消する方法があるが、クリアトナーは有色トナーと比較して高価なものであり、印刷コストが嵩むという問題があった。
【０００６】
また、特許文献４のようにクリアトナーを使う箇所を限定することで光沢差の違和感を軽減する、といった手法も提案されているが、この場合はコストを抑えることはできるものの、結果として印刷物に凹凸ができることを許容しなければならない、という問題があった。
【０００７】
本発明は、上記に鑑みてなされたものであって、有色色材の色材量を調整し、全面の光沢差を解消することで印刷品質を向上するとともに、クリア色材のコストを抑えることができる印刷制御装置、印刷制御システム、印刷制御方法およびプログラムを提供することを目的とする。
【課題を解決するための手段】
【０００８】
上述した課題を解決し、目的を達成するために、本発明にかかる印刷制御装置は、印刷対象の画像データの光沢度の目標を示す光沢度目標値を決定する光沢度目標値決定部と、前記光沢度目標値に対し、複数の有色材の各有色材に配分する色材量である各有色材の色分解量を、前記複数の有色材の各色材量の総和に基づいて決定する色分解量決定部と、前記各有色材の色分解量に基づいて、複数の有色版データのそれぞれの間の色の置換を実行する色分解処理部と、色の置換が実行された複数の有色版データに基づいて、前記画像データを生成する画像データ生成部と、を備えた。
【発明の効果】
【０００９】
本発明によれば、有色色材の色材量を調整し、全面の光沢差を解消することで印刷品質を向上するとともに、クリア色材のコストを抑えることができるという効果を奏する。
【図面の簡単な説明】
【００１０】
【図１】図１は、実施の形態１にかかる画像形成システムの構成を例示する図である。
【図２】図２は、実施の形態１にかかる有色版の画像データの一例を示す図である。
【図３】図３は、実施の形態１にかかる光沢の有無に関する表面効果の種類を例示する図である。
【図４】図４は、実施の形態１にかかる光沢制御版の画像データをイメージとして示した図である。
【図５】図５は、実施の形態１にかかるクリア版の画像データの一例を示す図である。
【図６】図６は、実施の形態１にかかる濃度値選択テーブルの一例を示す図である。
【図７】図７は、実施の形態１にかかる光沢制御版の画像データにおいて、描画オブジェクト、座標、濃度値との対応関係を示す図である。
【図８】図８は、実施の形態１にかかる印刷データの構成例を概念的に示す模式図である。
【図９】図９は、実施の形態１にかかるＤＦＥの機能的構成を例示する図である。
【図１０】図１０は、実施の形態１にかかる版調整部の構成図である。
【図１１】図１１は、実施の形態１にかかる光沢度目標値テーブルについて、概念的に例示する図である。
【図１２】図１２は、実施の形態１にかかる有色色材量対光沢度テーブルについて概念的に例示する図である。
【図１３Ａ】図１３Ａは、実施の形態１にかかる光沢度の不均一性の補正について概念的に例示する図である。
【図１３Ｂ】図１３Ｂは、実施形態１の色分解処理前の光沢度、色分解処理後の光沢度、光沢度目標値を示す図である。
【図１４】図１４は、実施の形態１にかかるＣＭＹ値とＫ値の間における色分解処理について概念的に例示する図である。
【図１５】図１５は、実施の形態１にかかる表面効果選択テーブルのデータ構成を例示する図である。
【図１６】図１６は、実施の形態１にかかるＭＩＣおよび印刷装置の構成を概念的に例示する図である。
【図１７】図１７は、実施の形態１の画像形成システムが行う光沢制御処理の手順を示すフローチャートである。
【図１８】図１８は、実施の形態１にかかる版調整処理の手順を示すフローチャートである。
【図１９】図１９は、実施の形態２の用紙に応じた光沢度目標値を例示する図である。
【図２０】図２０は、実施の形態３の光沢制御版データのヒストグラムから光沢度目標値を算出する方法を例示する図である。
【図２１】図２１は、実施の形態４として、ユーザが光沢度目標値を指定する方法について例示する図である。
【図２２】図２２は、実施の形態５にかかる版調整部の機能的構成の例を示すブロック図である。
【図２３】図２３は、実施の形態５にかかる版調整処理の手順の例を示すフローチャートである。
【図２４】図２４は、実施の形態５においてＧ及びＰＧ効果に関する領域のみを抽出した場合について例示する図である。
【図２５】図２５は、実施の形態６にかかる版調整部の機能的構成の例を示すブロック図である。
【図２６】図２６は、実施の形態６にかかる版調整処理の手順の例を示すフローチャートである。
【図２７】図２７は、実施の形態６において特定のオブジェクト領域のみを抽出した場合について例示する図である。
【図２８】図２８は、実施の形態７にかかる版調整部の機能的構成の例を示すブロック図である。
【図２９】図２９は、実施の形態７にかかるクリア色材量対光沢度テーブルの例を示す図である。
【図３０】図３０は、実施の形態７において、色分解処理後における光沢度の不均一性の補正について概念的に例示する図である。
【図３１】図３１は、実施の形態７にかかる版調整処理の手順の例を示すフローチャートである。
【図３２】図３２は、実施の形態８にかかるＤＦＥの機能的構成を示すブロック図である。
【図３３】図３３は、実施の形態８にかかる版調整部とプレビュー処理部の機能的構成を示すブロック図である。
【図３４】図３４は、実施の形態８にかかる乖離度を乖離度を概念的に説明するための図である。
【図３５】図３５は、実施の形態８にかかる版調整処理およびプレビュー画像生成処理の手順の一例を示すフローチャートである。
【図３６】図３６は、実施の形態８においてプレビュー画像が生成される流れを例示する図である。
【図３７】図３７は、実施の形態８においてプレビュー画像の他の表示例を示す図である。
【図３８】図３８は、変形例１にかかる、乖離度が所定値以上の画素の画素値と頻度の一覧を示す図である。
【図３９】図３９は、変形例２において、光沢度目標値から乖離している各画素に対するガマット上での位置と入力画像である有色版データ上の位置との関係について表示する例を示す図である。
【図４０】図４０は、変形例３において、光沢度目標値からの乖離度を立体的な高さ情報に変換して表示する例を示す図である。
【発明を実施するための形態】
【００１１】
以下に添付図面を参照して、印刷制御装置、印刷制御システム、印刷制御方法およびプログラムの実施の形態を詳細に説明する。
【００１２】
（実施の形態１）
まず、実施の形態１に係る画像形成システムの構成について図１を用いて説明する。本実施の形態においては、画像形成システムは、プリンタ制御装置（DFE:Digital  Front  End）５０（以下、「ＤＦＥ５０」という。）と、インタフェースコントローラ(MIC:Mechanism  I/F  Controller)６０（以下、「ＭＩＣ６０」という。）と、プリンタ機７０と、後処理機としてグロッサ８０及び低温定着機９０とが接続されて構成される。ＤＦＥ５０は、ＭＩＣ６０を介してプリンタ機７０と通信を行い、プリンタ機７０での画像の形成を制御する。また、ＤＦＥ５０には、ＰＣ(Personal  Computer)等のホスト装置１０が接続され、ＤＦＥ５０は、ホスト装置１０から画像データを受信して、当該画像データを用いて、プリンタ機７０がＣＭＹＫの各トナー及びクリアトナーに応じたトナー像を形成するための画像データを生成してこれをＭＩＣ６０を介してプリンタ機７０に送信する。プリンタ機７０には、ＣＭＹＫの各トナーとクリアトナーとが少なくとも搭載されており、各トナーに対して感光体、帯電器、現像器及び感光体クリーナを含む作像ユニット、露光器及び定着機が各々搭載されている。
【００１３】
なお、プリンタ機７０と、グロッサ８０および低温定着機９０とで印刷装置３０を構成している。
【００１４】
ここで、クリアトナーとは、色材を含まない透明な（無色の）トナーである。なお、透明（無色）とは、例えば、透過率が７０％以上であることを示す。
【００１５】
プリンタ機７０は、ＭＩＣ６０を介してＤＦＥ５０から送信された画像データに応じて、露光器から光ビームを照射して各トナーに応じたトナー像を感光体上に形成して、これを記録媒体としての用紙に転写しこれを定着機によって所定の範囲内の温度（通常温度）での加熱及び加圧で定着させる。これによって用紙に画像が形成される。このようなプリンタ機７０の構成については周知であるため、ここでその詳細な説明を省略する。なお、用紙は記録媒体の一例であり、記録媒体としてはこれに限定されるものではない。例えば、記録媒体として、合成紙やビニール紙等も適用することができる。
【００１６】
グロッサ８０は、ＤＦＥ５０から指定されるオンオフ情報によりオン又はオフが制御され、オンにされた場合に、プリンタ機７０により用紙に形成された画像を高温及び高圧で加圧し、その後、冷却して本体から画像が形成された用紙を剥離する。これにより用紙に形成された画像全体において所定以上のトナーが付着した各画素のトナーの総付着量は均一に圧縮される。低温定着機９０には、クリアトナー用の感光体、帯電器、現像器および感光体クリーナを含む作像ユニット、露光器及び当該クリアトナーを定着させるための定着機が搭載されており、低温定着機９０を用いるためにＤＦＥ５０が生成した後述のクリアトナー版の画像データ（以下、「クリアトナー版データ」という場合もある。）が入力される。低温定着機９０は、当該低温定着機９０が用いるためのクリアトナー版データをＤＦＥ５０が生成した場合にはこれを用いてクリアトナーによるトナー像を形成して、グロッサ８０が加圧した用紙上に当該トナー像を重ねて、定着機によって通常よりも低い加熱または加圧で用紙に定着させる。
【００１７】
ここで、ホスト装置１０から入力される画像データ（原稿データ）について説明する。ホスト装置１０では、予めインストールされた画像処理アプリケーションにより画像データが生成されて、ＤＦＥ５０に送信される。このような画像処理アプリケーションでは、ＲＧＢ版やＣＭＹＫ版などの各色版における各色の濃度の値（濃度値という。）を画素毎に規定した画像データに対して、特色版の画像データを取り扱うことが可能である。特色版とは、ＣＭＹＫやＲＧＢなどの基本的なカラーの他に、白、金、銀といった特殊なトナーやインクを付着させるための画像データであり、このような特殊なトナーやインクを搭載したプリンタ向けのデータである。特色版は色再現性を向上させるためにＣＭＹＫの基本カラーにＲを追加することや、ＲＧＢの基本カラーにＹを追加することもある。通常、クリアトナーも特色の１つとして取り扱われていた。
【００１８】
本実施の形態では、この特色としてのクリアトナーを、用紙に付与する視覚的または触覚的な効果である表面効果を形成するため、および、用紙に、上記表面効果以外のウォータマークやテクスチャ等の透明画像を形成するために用いる。
【００１９】
このため、ホスト装置１０の画像処理アプリケーションは、入力された画像データに対して、有色版の画像データ（以下、「有色版データ」という場合もある。）の他、特色版の画像データとして、ユーザの指定により、光沢制御版の画像データ（以下、「光沢制御版データ」という場合もある。）および／またはクリア版の画像データ（以下、「クリア版データ」という場合もある。）とを生成する。
【００２０】
ここで、有色版データとは、画素毎にＲＧＢやＣＭＹＫ等の有色の濃度値を規定した画像データである。この有色版データでは、ユーザによる色の指定により、１画素を８ビットで表現される。図２は、有色版データの一例を示す説明図である。図２において、「Ａ」、「Ｂ」、「Ｃ」等の描画オブジェクトごとにユーザが画像処理アプリケーションで指定した色に対応する濃度値が付与される。
【００２１】
また、光沢制御版データとは、用紙に付与する視覚的または触覚的な効果である表面効果に応じたクリアトナーを付着させる制御を行うため、当該表面効果の与えられる領域および当該表面効果の種類を特定した画像データである。
【００２２】
この光沢制御版データは、ＲＧＢやＣＭＹＫ等の有色版と同様に画素毎に８ビットで「０」〜「２５５」の範囲の濃度値で表され、この濃度値に、表面効果の種類が対応付けられる（濃度値は１６ビットや３２ビット、または０〜１００％で表してもよい。）。また、同一の表面効果を与えたい範囲には実際に付着するクリアトナーの濃度と関係なく同一の値が設定されるため、領域を示すデータがなくとも必要に応じて画像データから容易に領域が特定できる。即ち、光沢制御版によって、表面効果の種類と、表面効果を与える領域とが表される（領域を表すデータを別途付与しても良い。）。
【００２３】
ここで、ホスト装置１０は、ユーザが画像処理アプリケーションにより指定した描画オブジェクトに対する表面効果の種類を、描画オブジェクトごとに光沢制御値としての濃度値として設定してベクタ形式の光沢制御版データを生成する。
【００２４】
この光沢制御版データを構成する各画素は、有色版データの画素に対応する。尚、各画像データにおいては各画素の表す濃度値が画素値となる。また、有色版データ及び光沢制御版データは共にページ単位で構成される。
【００２５】
表面効果の種類としては、大別して、光沢の有無に関するものや、表面保護や、情報を埋め込んだ透かしや、テクスチャなどがある。光沢の有無に関する表面効果については、図３に例示されるように、大別して４種類あり、光沢の度合い（光沢度）の高い順に、鏡面光沢（ＰＧ：Ｐｒｅｍｉｕｍ  Ｇｌｏｓｓ）、ベタ光沢（Ｇ：Ｇｌｏｓｓ）、網点マット（Ｍ：Ｍａｔｔ）及びつや消し（ＰＭ：Ｐｒｅｍｉｕｍ  Ｍａｔｔ）等の各種類がある。これ以降、鏡面光沢を「ＰＧ」、ベタ光沢を「Ｇ」、網点マットを「Ｍ」、つや消しを「ＰＭ」と呼ぶ場合がある。
【００２６】
鏡面光沢やベタ光沢は、光沢を与える度合いが高く、逆に、網点マットやつや消しは、光沢を抑えるためのものであり、特に、つや消しは、通常の用紙が有する光沢度より低い光沢度を実現するものである。同図中において、鏡面光沢はその光沢度Ｇｓが８０以上、べた光沢は一次色あるいは二次色のなすベタ光沢度、網点マットは一次色、かつ網点３０％の光沢度、つや消しは光沢度１０以下を表している。また、光沢度の偏差をΔＧｓで表し、１０以下とした。このような表面効果の各種類に対して、光沢を与える度合いが高い表面効果に高い濃度値が対応付けられ、光沢を抑える表面効果に低い濃度値が対応付けられる。その中間の濃度値には、透かしやテクスチャなどの表面効果が対応付けられる。透かしとしては、例えば、文字や地紋などが用いられる。テクスチャは、文字や模様を表すものであり、視覚的効果の他、触覚的効果を与えることが可能である。例えば、ステンドグラスのパターンをクリアトナーによって実現することができる。表面保護は、鏡面光沢やベタ光沢で代用される。尚、処理対象の画像データによって表される画像のどの領域に表面効果を与えるのかやその領域にどの種類の表面効果を与えるのかについては、画像処理アプリケーションを介してユーザにより指定される。画像処理アプリケーションを実行するホスト装置１０では、ユーザにより指定された領域を構成する描画オブジェクトについて、ユーザが指定した表面効果に対応する濃度値がセットされることにより、光沢制御版データが生成される。濃度値と表面効果の種類との対応関係については後述する。
【００２７】
図４は、光沢制御版データの一例を示す説明図である。図４の光沢制御版の例では、ユーザにより、描画オブジェクト「ＡＢＣ」に表面効果「ＰＧ（鏡面光沢）」が付与され、描画オブジェクト「（長方形の図形）」に表面効果「Ｇ（ベタ光沢）」が付与され、描画オブジェクト「（円形の図形）」に表面効果「Ｍ（網点マット）」が付与された例を示している。なお、各表面効果に設定された濃度値は、後述の濃度値選択テーブル（図６参照）で、表面効果の種類に対応して定められた濃度値である。
【００２８】
クリア版データとは、上記表面効果以外のウォータマークやテクスチャ等の透明画像を特定した画像データである。図５は、クリア版データの一例を示す説明図である。図５の例では、ユーザにより、ウォータマーク「Ｓａｌｅ」が指定されている。
【００２９】
このように、特色版の画像データである、光沢制御版データおよびクリア版データは、ホスト装置１０の画像処理アプリケーションにより、有色版データとは別のプレーンで生成される。また、有色版データ、光沢制御版データ、クリア版データの各形式は、ＰＤＦ（Portable  Document  Format）形式が用いられるが、各版のＰＤＦの画像データを統合して原稿データとして生成される。なお、各版の画像データのデータ形式は、ＰＤＦに限定されるものではなく、任意の形式を用いることができる。
【００３０】
ここで、ホスト装置１０の画像処理アプリケーションは、ユーザが指定した表面効果の種類を、濃度値に変換して、光沢制御版データを生成する。かかる変換は、ホスト装置１０の記憶部に予め記憶された濃度値選択テーブルを参照して行われる。濃度値選択テーブルは、表面効果の種類と、当該表面効果の種類に対応する光沢制御版の濃度値とを対応付けたテーブルデータである。図６は、濃度値選択テーブルの一例を示す図である。図６の例では、ユーザにより「ＰＧ」（鏡面光沢）が指定された領域に対応する光沢制御版の濃度値は「９８％」に相当する画素値であり、「Ｇ」（ベタ光沢）が指定された領域に対応する光沢制御版の濃度値は「９０％」に相当する画素値であり、「Ｍ」（網点マット）が指定された領域に対応する光沢制御版の濃度値は「１６％」に相当する画素値であり、「ＰＭ」（つや消し）が指定された領域に対応する光沢制御版の濃度値は「６％」に相当する画素値である。
【００３１】
この濃度値選択テーブルは、ＤＦＥ５０で記憶している表面効果選択テーブル（後述）の同一のデータであり、ホスト装置１０の制御部（不図示）が所定のタイミングで表面効果選択テーブルを取得して、取得した表面効果選択テーブルから生成して（コピーして）記憶部に保存する。ここで、図６では、濃度値選択テーブルの例を簡略化して示しているが、実際は、濃度値選択テーブルは図１１の表面効果選択テーブルと同一のテーブルとなっている。なお、インターネット等のネットワーク上のストレージサーバ（クラウド）に表面効果選択テーブルを保存しておき、ホスト装置１０の制御部が当該サーバから表面効果選択テーブルを取得して、取得した表面効果選択テーブルから生成（コピー）するように構成してもよい。ただし、ＤＦＥ５０で記憶している表面効果選択テーブルとホスト装置の記憶部に保存されている表面効果選択テーブルとは同じデータである必要がある。
【００３２】
具体的には、ホスト装置１０の画像処理アプリケーションは、図６に示す濃度値選択テーブルを参照しながら、ユーザにより所定の表面効果が指定された描画オブジェクトの濃度値（光沢制御値）を、当該表面効果の種類に応じた値に設定することで、光沢制御版データを生成する。例えばユーザにより、図２に示した有色版データである対象画像のうち、「ＡＢＣ」と表示される領域に「ＰＧ」、長方形の領域に「Ｇ」、円形の領域に「Ｍ」を与えることが指定された場合を想定する。この場合、ホスト装置１０は、濃度値選択テーブルを参照して、ユーザにより「ＰＧ」が指定された描画オブジェクト（「ＡＢＣ」）の濃度値を「９８％」に相当する画素値に設定し、「Ｇ」が指定された描画オブジェクト（「長方形」）の濃度値を「９０％」に相当する画素値に設定し、「Ｍ」が指定された描画オブジェクト（「円形」）の濃度値を「１６％」に相当する画素値に設定することで、光沢制御版データを生成する。ホスト装置１０で生成された光沢制御版データは、点の座標と、それを結ぶ線や面の方程式のパラメータ、および、塗り潰しや特殊効果などを示す描画オブジェクトの集合として表現されるベクタ形式のデータである。図４は、この光沢制御版データをイメージとして示した図であり、図７は、図４の光沢制御版データにおいて、描画オブジェクト、座標、濃度値との対応関係を示す図である。
【００３３】
ホスト装置１０は、光沢制御版データと、対象画像の画像データ（有色版データ）と、クリア版データとを統合した原稿データを生成する。
【００３４】
そして、ホスト装置１０は、この原稿データに基づいて印刷データを生成する。印刷データは、対象画像の画像データ（有色版データ）と、光沢制御版データと、クリア版データと、例えばプリンタの設定、集約の設定、両面の設定などをプリンタに対して指定するジョブコマンドとを含んで構成される。図８は、印刷データの構成例を概念的に示す模式図である。図８の例では、ジョブコマンドとして、ＪＤＦ（Job  Definition  Format）が用いられているが、これに限られるものではない。図８に示すＪＤＦは、集約の設定として「片面印刷・ステープル有り」を指定するコマンドである。また、印刷データは、PostScriptのようなページ記述言語（ＰＤＬ）に変換されてもよいし、ＤＦＥ５０が対応していれば、ＰＤＦ形式のままでもよい。
【００３５】
次に、ＤＦＥ５０の機能的構成について説明する。ＤＦＥ５０は、図９に例示されるように、レンダリングエンジン５１と、版調整部５１１と、ｓｉ１部５２と、ＴＲＣ(Tone  Reproduction  Curve)５３と、ｓｉ２部５４と、ハーフトーンエンジン５５と、クリアプロセッシング５６と、ｓｉ３部５７と、入力部５８と、表示部５９とを有する。レンダリングエンジン５１と、ｓｉ１部５２と、ＴＲＣ(Tone  Reproduction  Curve)５３と、ｓｉ２部５４と、ハーフトーンエンジン５５と、クリアプロセッシング５６と、ｓｉ３部５７とは、ＤＦＥ５０の制御部が主記憶部や補助記憶部に記憶されている各種プログラムを実行することにより実現されるものである。ｓｉ１部５２、ｓｉ２部５４及びｓｉ３部５７はいずれも、画像データを分離する(separate)機能と、画像データを統合する（integrate）機能とを有するものである。
【００３６】
なお、これ以降、印刷データは、有色版データと光沢制御版データとから構成され、クリア版データは含まれていない場合を例にあげて説明するが、印刷データにクリア版データを含む構成としてもよい。
【００３７】
入力部５８は、キーボードやマウス等の入力デバイスである。表示部５９は、ディスプレイ装置等の表示デバイスである。
【００３８】
レンダリングエンジン５１には、ホスト装置１０から送信された印刷データ（図８に示した印刷データ）が入力される。レンダリングエンジン５１は、入力された画像データを言語解釈して、ベクタ形式で表現される画像データをラスタ形式に変換すると共に、ＲＧＢ形式等で表現された色空間をＣＭＹＫ形式の色空間に変換する。そして、レンダリングエンジン５１は、変換後のデータである、ＣＭＹＫの各８ビットの有色版データ及び８ビットの光沢制御版データを版調整部５１１に出力する。
【００３９】
版調整部５１１は、ＣＭＹＫの各８ビットの有色版データ及び８ビットの光沢制御版データを入力し、光沢度の不均一性を補正することを目的として各版間でのデータ調整を実行され、再度ＣＭＹＫの各８ビットの有色版データ及び８ビットの光沢制御版データを出力する。版調整部５１１の詳細については後述する。
【００４０】
ｓｉ１部５２は、ＣＭＹＫの各８ビットの有色版データをＴＲＣ５３に出力し、８ビットの光沢制御版データをクリアプロセッシング５６に出力する。ここで、ＤＦＥ５０は、ホスト装置１０から出力されたベクタ形式の光沢制御版データをラスタ形式の光沢制御版データに変換し、この結果、ＤＦＥ５０は、ユーザが画像処理アプリケーションにより指定した描画オブジェクトに対する表面効果の種類を、画素を単位として濃度値として設定して光沢制御版データを出力する。
【００４１】
ＴＲＣ５３には、ｓｉ１部５２を介してＣＭＹＫの各８ビットの画像データが入力される。ＴＲＣ５３には、入力された画像データに対してキャリブレーションにより生成された１Ｄ＿ＬＵＴのガンマカーブでガンマ補正を行う。画像処理としては、ガンマ補正の他にトナーの総量規制等がある。総量規制とは記録媒体上の１画素において、プリンタ機７０でのせることが可能なトナー量に限界があるため、ガンマ補正後のＣＭＹＫ各８ビットの有色版データを制限する処理である。ちなみに、総量規制を越えて印刷した場合、転写不良や定着不良により画質が劣化してしまう。当実施例では関連するガンマ補正のみを取り上げて説明している。
【００４２】
ｓｉ２部５４は、ＴＲＣ５３でガンマ補正されたＣＭＹＫの各８ビットの有色版データを、インバースマスク（後述する）を生成するためのデータとしてクリアプロセッシング５６へ出力する。ハーフトーンエンジン５５には、ｓｉ２部５４を介してガンマ補正後のＣＭＹＫの各８ビットの有色版データが入力される。ハーフトーンエンジン５５は、入力された画像データをプリンタ機７０に出力するための、例えばＣＭＹＫの各２ビット等の有色版データのデータ形式に変換するハーフトーン処理を行い、ハーフトーン処理後のＣＭＹＫ各２ビット等の有色版データを出力する。なお、２ビットは一例であり、これに限定されるものではない。
【００４３】
以下、狙いとする光沢度に対して乖離している部分において有色色材の配分を調整する例について説明する。
【００４４】
図１０は、実施の形態１にかかる版調整部５１１の機能的構成を主として示したブロック図である。有色版データ５１１１（８ｂｉｔ  ｘ  ４ｐｌａｎｅ）及び光沢制御版データ５１１２（８ｂｉｔ  ｘ  １ｐｌａｎｅ）は版調整部５１１への入力となる。有色版データ５１２１は版調整部５１１からの出力として得られる。光沢制御版データ５１２２も版調整部５１１からの出力として得られるが、本実施形態においては光沢制御版データに関する調整は実施されず、結果として入力データと同じものが光沢制御版データ５１２２として出力される。
【００４５】
なお、以降の説明における「色材」について、これをトナーに限定しない。例えば、インクを対象としても良い。
【００４６】
版調整部５１１は、図１０に示すように、光沢度目標値決定部５１１３と、これによって参照される光沢度目標値テーブル５１１４と、色分解量決定部５１１５と、これによって参照される有色色材量対光沢度テーブル５１１６と、色分解処理部５１１７とを主に備えている。本構成により、最終的に色分解処理が実施されることで、有色色材側の量を調整することができる。
【００４７】
光沢度目標値テーブル５１１４は、狙いとする光沢度である光沢度目標値を規定したデータである。光沢度目標値決定部５１１３では、この光沢度目標値テーブル５１１４を参照して光沢度目標値を決定する。すなわち、本実施形態では、光沢度目標値決定部５１１３は、光沢度目標値テーブル５１１４で規定された光沢度目標値を読み出して、読み出した光沢度目標値に決定する。
【００４８】
図１１は前述の光沢度目標値テーブル５１１４について概念的に例示する図である。例示した図ではどのＣＭＹＫ値の総量に対しても光沢度目標値は常に一定の光沢度となっている。ただし、光沢度目標値テーブル５１１４は、この例に限定されるものではない。例えば、低濃度部や高濃度部については目標値が中濃度部と比較して高めに設定されるように光沢度目標値テーブル５１１４を構成してもよい。
【００４９】
有色色材量対光沢度テーブル５１１６は、有色色材の総量に対する光沢度を定めたテーブルデータである。図１２は、有色色材量対光沢度テーブル５１１６の一例を概念的に示す図である。図１２の例では、有色色材量対光沢度テーブル５１１６は、一般的な「有色色材総量の少ない部分と多い部分の光沢度が高く、中間色の光沢度が低くなる」という特徴を有するテーブルとなっている。ただし、有色色材量対光沢度テーブル５１１６はこれに限定されるものではない。例えば、「有色色材総量が少ないほど光沢度が高く、有色色材総量が多くなるほど光沢度が低くなる」ように有色色材量対光沢度テーブル５１１６を構成することもできる。
【００５０】
色分解量決定部５１１５は、印刷対象とする画像データである有色版データ５１１１の各画素において、有色色材量対光沢度テーブル５１１６を参照して、ＣＭＹＫ値の総量に対する光沢度を取得する。そして、色分解量決定部５１１５は、有色色材量対光沢度テーブル５１１６から取得した光沢度と光沢度目標値決定部５１１３で決定された光沢度目標値との差を求め、当該差に基づいて、光沢度の不均一性がどの程度発生しているかを判断し、色分解処理をどの程度実施すべきか、すなわち色分解量を決定する。この色分解量の決定について、以下のように行われる。
【００５１】
図１３Ａは、実施形態１の光沢度の不均一性の補正について概念的に例示する図である。図１３Ａでは光沢度目標値の値をＴｇｔ、Ｔｇｔと有色色材量対光沢度テーブル５１１６のグラフとの交点となる２箇所の点において、その際の入力データにおけるＣＭＹＫ総量値をＡ及びＣ、光沢度が最少となる箇所のＣＭＹＫ総量値をＢ、ＣＭＹＫ総量値の最小値を０、最大値をＭａｘとしている。ここで、総量値の各区間において光沢度Ｔｇｔを光沢度目標値として、ＣＭＹ値とＫ値の間における色置換を実施する。
【００５２】
総量値の区間０〜Ａにおいては、ＣＭＹＫ総量値がＡに近づくようにＫをＣＭＹに置き換え、総量値を増やすことで光沢度Ｔｇｔの実現を目指す。総量値の区間Ａ〜Ｂにおいては、総量値がＡに近づくようにＣＭＹをＫに置き換え、総量値を減らすことで光沢度Ｔｇｔの実現を目指す。総量値の区間Ｂ〜Ｃにおいては、ＣＭＹＫ総量値がＣに近づくようにＫをＣＭＹに置き換え、総量値を増やすことで光沢度Ｔｇｔの実現を目指す。総量値の区間Ｃ〜Ｍａｘにおいては、総量値がＣに近づくようにＣＭＹをＫに置き換え、総量値を減らすことで光沢度Ｔｇｔの実現を目指す。
【００５３】
図１３Ｂは、実施形態１の色分解処理前の光沢度、色分解処理後の光沢度、光沢度目標値を示す図である。図１３Ｂに示すように、色分解処理後の光沢度が、色分解処理前の光沢度に比べて光沢度目標値に近づいている。
【００５４】
図１４は、この際のＣＭＹ値とＫ値の間における色分解処理について概念的に例示する図である。例示した図に示されるように、色分解処理部５１１７は、Ｃ，Ｍ，Ｙ３色の重なりからなる成分を減らしてＫで置換するという一般的な下色除去アルゴリズム、すなわちＵＣＲ（Ｕｎｄｅｒ  Ｃｏｌｏｒ  Ｒｅｍｏｖａｌ）アルゴリズムを用いて、色分解量決定部５１１５で決定された色分解量で色置換を行っている。ただし、これに限定されるものではなく、例えば、ＧＣＲ（Ｇｒｅｙ  Ｃｏｍｐｏｎｅｎｔ  Ｒｅｐｌａｃｅｍｅｎｔ）アルゴリズムや独自のアルゴリズムを使用して、ＣＭＹ値とＫ値の間における色置換を実施するように色分解処理部５１１７を構成してもよい。
【００５５】
このようにして、最終的には色分解処理部５１１７によってＣＭＹ値とＫ値の間を調整することで、光沢度が調整される。その結果、有色版データ’５１２１が版調整部５１１の出力として得られる。なお、本実施形態においては光沢制御版データの調整は実施されず、結果として入力データと同じものが光沢制御版データ５１２２として版調整部５１１の出力として得られる。
【００５６】
なお、最終的に出力として得られた有色版データ及び光沢制御版データの色材量の総和において、後段のエンジンが規定する総量を超えるようなことがあれば、一般的な総量規制処理を用いて色材の総量を一定値内に規制するような処理を実施しても良い。
【００５７】
クリアプロセッシング５６には、レンダリングエンジン５１が変換した８ビットの光沢制御版データがｓｉ１部５２を介して入力されると共に、ＴＲＣ５３がガンマ補正を行ったＣＭＹＫの各８ビットの有色版データがｓｉ２部５４を介して入力される。
【００５８】
クリアプロセッシング５６には、後述する表面効果選択テーブルが記憶される。クリアプロセッシング５６は、ｓｉ１部５２から入力された８ビットの光沢制御版データが記憶される。
【００５９】
クリアプロセッシング５６は、ｓｉ１部５２から入力され、光沢制御版データを用いて、後述の表面効果選択テーブルを参照して、光沢制御版データを構成する各画素の表す濃度値（画素値）に対する表面効果を判断する。そして、クリアプロセッシング５６は、当該判断に応じて、グロッサ８０のオン又はオフを決定すると共に、入力されたＣＭＹＫの各８ビットの有色版データを用いてインバースマスクやベタマスクを適宜生成することにより、クリアトナーを付着させるための２ビットのクリアトナー版データを適宜生成する。そして、クリアプロセッシング５６は、表面効果の判断の結果に応じて、プリンタ機７０で用いるクリアトナー版データと、低温定着機９０で用いるクリアトナー版データとを適宜生成してこれらを出力すると共に、グロッサ８０のオン又はオフを示すオンオフ情報を出力する。
【００６０】
ここで、インバースマスクとは、表面効果を与える対象の領域を構成する各画素上のＣＭＹＫのトナー及びクリアトナーを合わせた総付着量が均一になるようにするためのものである。具体的には、ＣＭＹＫ版の画像データにおいて当該対象の領域を構成する画素の表す濃度値を全て加算し、その加算値を所定値から差し引いた画像データがインバースマスクとなる。例えば、上述のインバースマスク１は以下の式１で表される。
【００６１】
Ｃｌｒ＝１００−（Ｃ＋Ｍ＋Ｙ＋Ｋ）  但し、Ｃｌｒ＜０となる場合、Ｃｌｒ＝０
・・・(式１)
【００６２】
式１において、Ｃｌｒ，Ｃ，Ｍ，Ｙ，Ｋは、クリアトナー及びＣ，Ｍ，Ｙ，Ｋの各トナーのそれぞれについて、各画素における濃度値から換算される濃度率を表すものである。即ち、式１によって、Ｃ，Ｍ，Ｙ，Ｋの各トナーの総付着量にクリアトナーの付着量を加えた総付着量を、表面効果を与える対象の領域を構成する全ての画素について１００％にする。なお、Ｃ，Ｍ，Ｙ，Ｋの各トナーの総付着量が１００％以上である場合には、クリアトナーは付着させずに、その濃度率は０％にする。これは、Ｃ，Ｍ，Ｙ，Ｋの各トナーの総付着量が１００％を超えている部分は定着処理により平滑化されるためである。このように、表面効果を与える対象の領域を構成する全ての画素上の総付着量を１００％以上にすることで、当該対象の領域においてトナーの総付着量の差による表面の凸凹がなくなり、この結果、光の正反射による光沢が生じるのである。但し、インバースマスクには、式１以外により求められるものがあり、インバースマスクの種類は複数有り得る。
【００６３】
例えば、インバースマスクは、各画素にクリアトナーを均一に付着させるものであってもよい。この場合のインバースマスクは、ベタマスクともいい、以下の式２で表される。
Ｃｌｒ＝１００・・・(式２)
【００６４】
尚、表面効果を与える対象の画素の中でも、１００％以外の濃度率が対応付けられるものがあるようにしても良く、ベタマスクのパターンは複数有り得る。
【００６５】
また、例えばインバースマスクは、各色の地肌露出率の乗算により求められるものであってもよい。この場合のインバースマスクは、例えば以下の式３で表される。
Ｃｌｒ＝１００×｛（１００−Ｃ）／１００｝×｛（１００−Ｍ）／１００｝×｛（１００−Ｙ）／１００｝×｛（１００−Ｋ）／１００｝・・・(式３)
上記式３において、（１００−Ｃ）／１００は、Ｃの地肌露出率を示し、（１００−Ｍ）／１００は、Ｍの地肌露出率を示し、（１００−Ｙ）／１００は、Ｙの地肌露出率を示し、（１００−Ｋ）／１００はＫの地肌露出率を示す。
【００６６】
また、例えばインバースマスクは、最大面積率の網点が平滑性を律すると仮定した方法により求められるものであってもよい。この場合のインバースマスクは、例えば以下の式４で表される。
Ｃｌｒ＝１００−max（Ｃ，Ｍ，Ｙ，Ｋ）・・・(式４)
上記式４において、max（Ｃ，Ｍ，Ｙ，Ｋ）は、ＣＭＹＫのうち最大の濃度値を示す色の濃度値が代表値となることを示す。
【００６７】
要するに、インバースマスクは、上記式１〜式４の何れかの式により表されるものであればよい。
【００６８】
次に、表面効果選択テーブルについて説明する。表面効果選択テーブルは、表面効果を示す光沢制御値である濃度値と当該表面効果の種類の対応関係を示すと共に、これらと、画像形成システムの構成に応じた後処理機に関する制御情報と、プリンタ機７０で用いるクリアトナー版データ及び後処理機で用いるクリアトナー版データとの対応関係を示すテーブルである。
【００６９】
画像形成システムの構成は、様々に異なり得るが、本実施の形態においては、プリンタ機７０に後処理機としてグロッサ８０及び低温定着機９０が接続される構成である。このため、画像形成システムの構成に応じた後処理機に関する制御情報とは、グロッサ８０のオン又はオフを示すオンオフ情報となる。また、後処理機で用いるクリアトナー版データとしては、低温定着機９０で用いるクリアトナー版データがある。
【００７０】
図１５は、表面効果選択テーブルのデータ構成を例示する図である。尚、表面効果選択テーブルは、異なる画像形成システムの構成毎に、後処理機に関する制御情報と、プリンタ機７０で用いるクリアトナー版１の画像データ及び後処理機で用いるクリアトナー版２の画像データと、濃度値及び表面効果の種類との対応関係を示すように構成され得るが、図１５では、本実施の形態に係る画像形成システムの構成に応じたデータ構成を例示している。同図に示される表面効果の種類及び濃度値の対応関係においては、濃度値の範囲毎に表面効果の各種類が対応付けられている。また、その濃度値の範囲の代表となる値（代表値）から換算される濃度の割合（濃度率）に対して２％単位で表面効果の各種類が対応付けられている。具体的には、濃度率が８４％以上となる濃度値の範囲（「２１２」〜「２５５」）に対して光沢を与える表面効果（鏡面効果及びベタ効果）が対応付けられており、濃度率が１６％以下となる濃度値の範囲（「１」〜「４３」）に対して光沢を抑える表面効果（網点マット及びつや消し）が対応付けられている。また、濃度率が２０％〜８０％となる濃度値の範囲には、テクスチャや地紋透かしなどの表面効果が対応付けられている。
【００７１】
図１５の表面効果選択テーブルを例にあげてより具体的に説明すると、例えば、「２３８」〜「２５５」の画素値に対しては表面効果として鏡面光沢（PM:Premium  Gross）が対応付けられており、このうち、「２３８」〜「２４２」の画素値、「２４３」〜「２４７」の画素値及び「２４８」〜「２５５」の画素値の３つの範囲に対して各々異なるタイプの鏡面光沢が対応付けられている。
【００７２】
また、「２１２」〜「２３２」の画素値に対しては、ベタ光沢(G:Gross)が対応付けられており、このうち、「２１２」〜「２１６」の画素値、「２１７」〜「２２１」の画素値、「２２２」〜「２２７」の画素値及び「２２８」〜「２３２」の画素値の４つの範囲に対して各々異なるタイプのベタ光沢が対応付けられている。
【００７３】
また、「２３」〜「４３」の画素値に対しては、網点マット(M:Matt)が対応付けられており、このうち、「２３」〜「２８」の画素値、「２９」〜「３３」の画素値、「３４」〜「３８」の画素値及び「３９」〜「４３」の画素値の４つの範囲に対して各々異なるタイプの網点マットが対応付けられている。また、「１」〜「１７」の画素値に対しては、つや消し(PM:Premium  Matt)が対応付けられており、このうち、「１」〜「７」の画素値、「８」〜「１２」の画素値及び「１３」〜「１７」の画素値の３つの範囲に対して各々異なるタイプのつや消しが対応付けられている。これらの同一の表面効果の異なるタイプはプリンタ機７０や低温定着機９０で使用するクリアトナー版データを求める式に違いがあり、プリンタ本体や後処理機の動作は同じである。尚、「０」の濃度値には、表面効果を与えないことが対応付けられている。
【００７４】
また、図１５には、画素値及び表面効果に対応して、グロッサ８０のオン又はオフを示すオンオフ情報と、プリンタ機７０で用いるクリアトナー版１の画像データ（図１のＣｌｒ−１）及び低温定着機９０で用いるクリアトナー版２の画像データの内容とが各々示されている。例えば、表面効果が鏡面光沢である場合、グロッサ８０をオンにすることが示されると共に、プリンタ機７０で用いるクリアトナー版１の画像データは、インバースマスクを表すものであり、低温定着機９０で用いるクリアトナー版２の画像データ（図１のＣｌｒ−２）は、ないことが示されている。当該インバースマスクは、例えば上述した式１により求められるものである。尚、図１５に示される例は、表面効果として鏡面効果が指定された領域が、画像データによって規定される領域全体に相当する場合の例である。表面効果として鏡面効果が指定された領域が、画像データによって規定される領域の一部に相当する場合の例については後述する。
【００７５】
また、濃度値が「２２８」〜「２３２」であり表面効果がベタ光沢である場合、グロッサ８０をオフにすることが示されていると共に、プリンタ機７０で用いるクリアトナー版１の画像データは、インバースマスク１であり、低温定着機９０で用いるクリアトナー版２の画像データは、ないことが示されている。
【００７６】
尚、当該インバースマスク１は、上記式１〜式４の何れかの式により表されるものであればよい。これはグロッサ８０がオフなので平滑化されるトナーの総付着量が異なるため、鏡面光沢により表面の凹凸が増え、その結果、鏡面光沢により光沢度が低いベタ光沢が得られる。また、表面効果が網点マットである場合、グロッサ８０をオフにすることが示されていると共に、プリンタ機７０で用いるクリアトナー版１の画像データは、ハーフトーン（網点）を表すものであり、低温定着機９０で用いるクリアトナー版２の画像データは、ないことが示されている。また、表面効果がつや消しである場合、グロッサ８０をオン又はオフのいずれにしても良いことが示されていると共に、プリンタ機７０で用いるクリアトナー版１の画像データは、なく、低温定着機９０で用いるクリアトナー版２の画像データは、ベタマスクを表すものであることが示されている。当該ベタマスクは、例えば上述の式２により求められるものである。
【００７７】
クリアプロセッシング５６は、上述のように、表面効果選択テーブルを参照して、光沢制御版データによって示される各画素値に対応付けられている表面効果を判断すると共に、グロッサ８０のオン又はオフを判断して、プリンタ機７０及び低温定着機９０でどのようなクリアトナー版データを用いるかを判断する。尚、クリアプロセッシング５６は、グロッサ８０のオン又はオフの判断を１ページ毎に行う。そして、上述したように、クリアプロセッシング５６は、当該判断の結果に応じて、クリアトナー版データを適宜生成してこれを出力すると共に、グロッサ８０に対するオンオフ情報を出力する。これにより、用紙の種類に応じてユーザが意図した効果の光沢効果を有するクリアトナー版データを生成することになる。
【００７８】
ｓｉ３部５７は、ハーフトーン処理後のＣＭＹＫの各２ビットの画像データと、クリアプロセッシング５６が生成した２ビットのクリアトナー版データとを統合し、統合した画像データをＭＩＣ６０に出力する。尚、クリアプロセッシング５６は、プリンタ機７０で用いるクリアトナー版データ及び低温定着機９０で用いるクリアトナー版データのうち少なくとも一方を生成しない場合があるので、クリアプロセッシング５６が生成した方のクリアトナー版データがｓｉ３部５７で統合され、両方のクリアトナー版データをクリアプロセッシング５６が生成していない場合には、ｓｉ３部５７からはＣＭＹＫの各２ビットの画像データが統合された画像データが出力される。この結果、ＤＦＥ５０からは各々２ビットの４つ〜６つの画像データがＭＩＣ６０へ送り出されることになる。また、ｓｉ３部５７は、クリアプロセッシング５６が出力したグロッサ８０に対するオンオフ情報もＭＩＣ６０に出力する。
【００７９】
ＭＩＣ６０は、ＤＦＥ５０とプリンタ機７０とに接続される。ＭＩＣ６０は、後処理機として搭載されている装置構成を示す装置構成情報をＤＦＥ５０に出力する。また、ＭＩＣ６０は、有色版データ、クリアトナー版データをＤＦＥ５０から受信して各画像データを対応する装置に振り分けるとともに、後処理機の制御を行う。より具体的には、ＭＩＣ６０は、図１６に例示されるように、ＤＦＥ５０から出力された画像データのうちＣＭＹＫの有色版データをプリンタ機７０に出力し、プリンタ機７０で用いるクリアトナー版データがある場合にはこれもプリンタ機７０に出力し、ＤＦＥ５０から出力されたオンオフ情報を用いて、グロッサ８０をオン又はオフにして、低温定着機９０で用いるクリアトナー版データがある場合にはこれを低温定着機９０に出力する。グロッサ８０はオンオフ情報によって定着を行う経路と行わない経路とを切り替えても良い。低温定着機９０はクリアトナー版データの有無によってオン又はオフの切り替えやグロッサ８０と同様の経路の切り替えをしても良い。
【００８０】
また、図１６に示すように、プリンタ機７０、グロッサ８０、低温定着機９０からなる印刷装置３０は、記録媒体を搬送する搬送路を備えている。なお、プリンタ機７０は、詳細には、電子写真方式の複数の感光体ドラム、感光体ドラム上に形成されたトナー像を転写される転写ベルト、転写ベルト上のトナー像を記録媒体に転写する転写装置、及び記録媒体上のトナー像を該記録媒体に定着させる定着機を備える。記録媒体は、図示を省略する搬送部材によって搬送路を搬送されることで、プリンタ機７０、グロッサ８０、低温定着機９０の設けられている位置を、この順に搬送される。そして、これらの機器によって順次処理が行われて画像形成及び表面効果が付与された後に、図示を省略する搬送機構によって搬送路を搬送されて、印刷装置の外部へと排出される。
【００８１】
このため、ＤＦＥ５０から出力された画像データが、ＣＭＹＫの有色版データ及びクリアトナー版データを含む場合には、該有色版データによって特定される有色画像が記録媒体に有色トナーで形成されると共に、クリアトナー版データによって特定される種類の表面効果がクリアトナーで該記録媒体に付与され、クリアトナー版データによって特定される透明画像がクリアトナーで該記録媒体に形成される。すなわち、記録媒体には、用紙の種類に応じてユーザが意図した効果の光沢効果を有するクリアトナー版データに基づいた表面効果が、記録媒体に付与されることとなる。
【００８２】
次に、本実施の形態に係る画像形成システムが行う光沢制御処理の手順について図１７を用いて説明する。ＤＦＥ５０がホスト装置１０から印刷データを受信すると（ステップＳ１１）、レンダリングエンジン５１は、これを言語解釈して、ベクタ形式で表現される画像データをラスタ形式に変換すると共に、ＲＧＢ形式で表現された色空間をＣＭＹＫ形式の色空間に変換して、ＣＭＹＫの各８ビットの有色版データ及び８ビットの光沢制御版データを得る（ステップＳ１２）。
【００８３】
この光沢制御版データの変換処理では、図４の光沢制御版データ、すなわち、図７で示したような、描画オブジェクトごとに表面効果を特定する濃度値が指定された光沢制御版データを、描画オブジェクトを構成する画素ごとに濃度値が指定された光沢制御版データに変換する。
【００８４】
すなわち、レンダリングエンジン５１は、図７で示される光沢制御版データの描画オブジェクトに対応する座標の範囲の画素に対して、描画オブジェクトに対して設定された濃度値を付与することにより、光沢制御版データを変換する。これにより、光沢制御版データは、画素ごとに表面効果が設定された光沢制御版データに変換されることになる。
【００８５】
８ビット光沢制御版データが出力されたら、版調整部５１１により版調整処理を行う（ステップＳ１３）。図１８は、実施の形態１にかかる版調整処理の手順を示すフローチャートである。
【００８６】
まず、光沢度目標値決定部５１１３は、光沢度目標値テーブル５１１４を参照して、各ＣＭＹＫの総量値における光沢度目標値を決定する（ステップＳ３１）。
【００８７】
次に、印刷対象とする画像データである有色版データ５１１１の各画素に対して、以下のステップＳ３２、Ｓ３３の処理が実行される。ステップＳ３２では、色分解量決定部５１１５が、有色色材量対光沢度テーブル５１１６を参照して、上述したように、光沢度目標値を満たすための色分解量を決定する（ステップＳ３２）。そして、色分解量決定部５１１５は、決定された色分解量に基づいて色分解処理を行う（ステップＳ３３）。
【００８８】
図１７に戻り、色分解処理が行われたら、ＤＦＥ５０のＴＲＣ５３は、ＣＭＹＫの各８ビットの有色版データに対してキャリブレーションにより生成された１Ｄ＿ＬＵＴのガンマカーブでガンマ補正を行い、ガンマ補正後のＣＭＹＫの各８ビットの有色版データをｓｉ２部５４を介してハーフトーンエンジン５５とクリアプロセッシング５６とに出力する。ハーフトーンエンジン５５はガンマ補正後の画像データに対して、プリンタ機７０に出力するためのＣＭＹＫ各２ビットの有色版データのデータ形式に変換するハーフトーン処理を行い、ハーフトーン処理後のＣＭＹＫの各２ビットの有色版データを得る（ステップＳ１４）。
【００８９】
次に、クリアプロセッシング５６は、８ビットの光沢制御版データを用いて、ステップＳ１４で選択された、用紙種類に対応する表面効果選択テーブルを参照して、光沢制御版データによって示される各画素値に対して指定された表面効果を判断する。そして、クリアプロセッシング５６は、光沢制御版データを構成する全ての画素について、このような判断を行う。尚、光沢制御版データにおいては、各表面効果を与える領域を構成する全ての画素について基本的に同一の範囲の濃度値を表す。このため、同一の表面効果であると判断した近傍の画素については、クリアプロセッシング５６は、同一の表面効果を与える領域に含まれるものとして判断する。このようにして、クリアプロセッシング５６は、表面効果を与える領域と、当該領域に対して与える表面効果の種類とを判断する。そして、クリアプロセッシング５６は、当該判断に応じて、グロッサ８０のオン又はオフを決定する（ステップＳ１５）。
【００９０】
次に、クリアプロセッシング５６は、ｓｉ２部５４から出力されるガンマ補正後のＣＭＹＫの各８ビットの有色版データを適宜用いて、クリアトナーを付着させるための８ビットのクリアトナー版データを適宜生成する（ステップＳ１６）。そして、ハーフトーンエンジン５５は、ハーフトーン処理により、８ビットの画像データを用いた８ビットのクリアトナー版データを２ビットのクリアトナー版データに変換する（ステップＳ１７）。
【００９１】
次に、ＤＦＥ５０のＳｉ３部５７は、ステップＳ１３で得たハーフトーン処理後のＣＭＹＫの各２ビットの有色版データと、ステップＳ１７で生成した２ビットのクリアトナー版データとを統合し、統合した画像データと、ステップＳ１５で決定したグロッサ８０のオン又はオフを示すオンオフ情報とをＭＩＣ６０に対して出力する（ステップＳ１８）。
【００９２】
尚、ステップＳ１６で、クリアプロセッシング５６が、クリアトナー版データを生成していない場合には、ステップＳ１８では、ステップＳ１３で得たハーフトーン処理後のＣＭＹＫの各２ビットの有色版データのみが統合されてＭＩＣ６０に出力される。
【００９３】
このように本実施の形態では、光沢度の不均一性に対し、狙いとする光沢度に対して乖離する部分においてクリアの色材を調整せずとも有色色材側の量を調整することで、全面の光沢度差を解消して印刷品質を向上させることができる。
【００９４】
（実施の形態２）
実施の形態１では、光沢度目標値は用紙によらず統一して定められていたが、この実施の形態２では、用紙の種類に応じて光沢度目標値を定めて色分解処理が行われる。実施の形態２における印刷システムの構成、ＤＦＥ５０、ＭＩＣ６０、印刷装置３０の機能および構成、および処理の流れについては、実施形態１と共通で重複する部分については説明を省略する。
【００９５】
図１９は、実施の形態２の用紙に応じた光沢度目標値を定めた光沢度目標値テーブルを例示する図である。図１９は、図１０内の光沢度目標値テーブル５１１４に相当し、ＣＭＹＫ値の総量に対する光沢度目標値を定めた光沢度目標値テーブルを、用紙毎に定義したものである。なお、本実施形態では、３種類の用紙についての目標値テーブルについて例示しているが、用紙種類は３つに限定しなくても良い。
【００９６】
本実施の形態では、ＤＦＥ５０の版調整部５１１が、ホスト装置１０から、印刷する用紙の種類を受信する。そして、版調整部５１１の光沢度目標値決定部５１１３が、図１８のステップＳ３１で、受信した用紙の種類に対応する光沢度目標値を、光沢度目標値テーブル５１１４から読み出して決定する。色分解量の決定（図１８のステップＳ３２）および色分解処理（色の置換処理、Ｓ３３の処理）については実施の形態１と同様である。
【００９７】
このように本実施の形態によれば、用紙の種類に応じて個別の光沢度目標値を光沢度目標値テーブル５１１４に定めておき、版調整部５１１が、光沢度目標値テーブル５１１４から、印刷する用紙の種類に応じて光沢度目標値を決定して、色分解処理を行っているので、用紙の種類に応じて最適な光沢度目標値を指定して、印刷品質をより向上させることができる。
【００９８】
（実施の形態３）
実施の形態３は、光沢制御版データに基づいて、光沢度目標値を決定している。実施の形態３における印刷システムの構成、ＤＦＥ５０、ＭＩＣ６０、印刷装置３０の機能および構成、および処理の流れについては、実施形態１と共通で重複する部分については説明を省略する。
【００９９】
本実施の形態のＤＦＥ５０の版調整部５１１における光沢度目標値決定部５１１３は、光沢制御版データに基づいて、光沢度目標値を決定する。より具体的には、光沢度目標値決定部５１１３は、光沢制御版データの光沢度のヒストグラムを用いて光沢度目標値を決定する。
【０１００】
図２０は、実施の形態３の光沢制御版データのヒストグラムから光沢度目標値を算出する方法を例示する図である。光沢度目標値決定部５１１３は、光沢制御版データにおける各画素の光沢度から、光沢度の目標値を、統計的に算出する。図２０の例では、光沢度目標値決定部５１１３は、光沢制御版データの光沢度のヒストグラムを用いてその中央値を光沢度目標値として算出している。
【０１０１】
ただし、これに限定されるものではなく、光沢制御版データのヒストグラムの平均値等の統計データを用いて光沢度目標値を決定するように光沢度目標値決定部５１１３を構成することができる。
【０１０２】
また、光沢制御版データに基づいて光沢度目標値を決定するものであれば、ヒストグラムを用いることに限定されるものではない。例えば、光沢制御版データの構成情報と規定のパターンとの比較やマッチング処理で判定し、その結果で規定の光沢度目標値を決定するように光沢度目標値決定部５１１３を構成することもできる。
【０１０３】
色分解量の決定および色分解処理（色の置換処理）については実施の形態１と同様である。
【０１０４】
このように本実施の形態によれば、光沢制御版データに基づいて光沢度目標値を決定しているので、最適な光沢度目標値を指定することができ、これにより、印刷品質をより向上させることができる。
【０１０５】
（実施の形態４）
実施の形態４は、ユーザの指定により光沢度目標値が決定されるものである。実施の形態３における印刷システムの構成、ＤＦＥ５０、ＭＩＣ６０、印刷装置３０の機能および構成、および処理の流れについては、実施形態１と共通で重複する部分については説明を省略する。
【０１０６】
本実施の形態のＤＦＥ５０の版調整部５１１における光沢度目標値決定部５１１３は、表示部５９に、光沢度目標値の設定画面を表示する。図２１は、実施の形態４にかかる光沢度目標値の設定画面の一例を示す図である。ユーザは、かかる光沢度目標値の設定画面から所望の光沢度目標値を入力する。光沢度目標値決定部５１１３は、光沢度目標値の設定画面からユーザにより入力された値を光沢度目標値として決定する。色分解量の決定および色分解処理（色の置換処理）については実施の形態１と同様である。
【０１０７】
なお、図２１の例では、光沢度目標値を直接指定する方法について例示しているが、予め何通りかの選択肢を用意しておき、それらの選択肢の中から目標値を指定するように光沢度目標値決定部５１１３を構成したり、図２０のような統計情報を参照しながら指定できるように光沢度目標値決定部５１１３を構成してもよい。
【０１０８】
このように本実施の形態によれば、ユーザに目標値を直接指定させる手段を提供することで、最適な光沢度の目標値を指定することができ、印刷品質をより向上させることができる。
【０１０９】
（実施の形態５）
実施の形態５では、ＤＦＥ５０は、光沢制御版データに基づいて特定の表面効果が付与される領域を抽出し、抽出された領域に対して色分解処理を行っている。実施の形態５における印刷システムの構成、ＤＦＥ５０、ＭＩＣ６０、印刷装置３０の機能および構成、および処理の流れについては、実施形態１と共通で重複する部分については説明を省略する。
【０１１０】
図２２は、実施の形態５にかかる版調整部２２５１１の機能的構成を主として示したブロック図である。版調整部２２５１１は、図２２に示すように、光沢度目標値テーブル５１１４と、色分解量決定部５１１５と、有色色材量対光沢度テーブル５１１６と、色分解処理部５１１７と、表面効果領域抽出部５１３１と、表面効果選択テーブル５１３２とを主に備えている。ここで、光沢度目標値決定部５１１３、光沢度目標値テーブル５１１４、有色色材量対光沢度テーブル５１１６の機能および構成は、実施の形態１と同様である。表面効果選択テーブル５１３２は、実施の形態１で図１５を用いて説明したものと同様であり、用紙に付与する表面効果の種類と表面効果を付与する用紙における領域とを特定したテーブルである。
【０１１１】
図２２に示すように、実施の形態１と同様に、有色版データ５１１１が光沢度目標値決定部５１１３への入力となるとともに、光沢制御版データ５１１２（８ｂｉｔｘ１ｐｌａｎｅ）が表面効果領域抽出部５１３１への入力となる。表面効果領域抽出部５１３１は、光沢制御版データ５１１２に基づいて、光沢制御版データ５１１２から特定の表面効果が付与される領域を抽出する。色分解量決定部５１１５は、表面効果領域抽出部５１３１によって抽出された領域に対して、各有色材の色分解量を決定する。色分解処理部５１１７は、表面効果領域抽出部５１３１によって抽出された領域に対して、色分解量決定部５１１５によって決定された色分解量に基づいて色の置換を実行する。
【０１１２】
図２３は、実施の形態５にかかる版調整処理の手順を示すフローチャートである。図２４は、実施の形態５にかかる版調整処理について説明するための図である。まず、実施の形態１と同様に、光沢度目標値決定部５１１３は、光沢度目標値テーブル５１１４を参照して、各ＣＭＹＫの総量値における光沢度目標値を決定する（ステップＳ３１）。
【０１１３】
次に、表面効果領域抽出部５１３１は、光沢制御版データ５１１２に基づいて、光沢制御版データ５１１２から特定の表面効果が付与される領域、すなわち色分解処理の実施対象とする領域を抽出する（ステップＳ５２）。具体的には、表面効果領域抽出部５１３１は、表面効果選択テーブル５１３２に規定された対象光沢効果の情報を元に、対象とする表面効果の領域のみを抽出する。
【０１１４】
例えば、高光沢部の光沢度を安定化したいというケースを想定すると、表面効果選択テーブル５１３２の光沢の有無に関する表面効果の種類を参考にすると、対象の表面効果としてはＧ（ベタ光沢）及びＰＧ（鏡面光沢）の表面効果に関する領域のみ対象とすれば良いと判断することができる。図２４に示すように、表面効果領域抽出部５１３１が、Ｇ及びＰＧの表面効果に関する領域のみを抽出した場合について例示している。図２４では、表面効果領域抽出部５１３１は、光沢制御版データ５１１２を入力として、Ｇ及びＰＧの表面効果のみを抽出した領域５１３３を出力としている。
【０１１５】
なお、図２４の例では、Ｇ及びＰＧの表面効果に関する複数の表面効果についての領域のみを抽出した場合について例示したが、これに限定されるものではなく、Ｍ（網点マット）やＰＭ（つや消し）等の他の表面効果の領域を抽出するように表面効果領域抽出部５１３１を構成することができる。また、抽出する対象の表面効果の数として単一の表面効果のみを指定するよう表面効果領域抽出部５１３１を構成しても良い。
【０１１６】
このようにして得られた領域情報は、色分解量決定部５１１５へ入力される。色分解量決定部５１１５では、当領域情報に対してのみ色分解処理の実施対象とすることを条件として考慮する。そして、その後の色分解処理部５１１７にて色分解処理が実施され、有色色材の量が調整される。具体的なステップＳ３２の色分解量の決定処理、およびステップＳ３３の色分解処理（色の置換処理）については実施の形態１と同様である。
【０１１７】
このように本実施の形態では、色分解処理を表面効果選択テーブル５１３２内の任意の表面効果に該当する領域に対してのみ実行しているので、最適な領域に対してのみ光沢度調整を実施することができる。また、本実施形態によれば、対象とする処理領域を限定することで不要な色分解処理を回避することもできる。
【０１１８】
なお、本実施の形態においては、光沢制御版データを対象としている。よって、仮に印刷データに光沢制御版データが含まれていない場合には、表面効果領域抽出部５１３１では何も実施されることはなく、実質的に図１０に示す実施形態１と同様の構成となる。
【０１１９】
（実施の形態６）
実施の形態６では、ＤＦＥ５０は、オブジェクト情報に基づいて特定の領域を抽出し、抽出された領域に対して色分解処理を行っている。実施の形態６における印刷システムの構成、ＤＦＥ５０、ＭＩＣ６０、印刷装置３０の機能および構成、および処理の流れについては、実施形態１と共通で重複する部分については説明を省略する。
【０１２０】
図２５は、実施の形態６にかかる版調整部２５５１１の機能的構成を主として示したブロック図である。版調整部２５５１１は、図２５に示すように、光沢度目標値テーブル５１１４と、色分解量決定部５１１５と、有色色材量対光沢度テーブル５１１６と、色分解処理部５１１７と、表面効果領域抽出部５１３１と、表面効果選択テーブル５１３２と、オブジェクト領域抽出部５１４１と、対象オブジェクトテーブル５１４２とを主に備えている。
【０１２１】
ここで、光沢度目標値決定部５１１３、光沢度目標値テーブル５１１４、有色色材量対光沢度テーブル５１１６の機能および構成は、実施の形態１と同様である。また、表面効果領域抽出部５１３１、表面効果選択テーブル５１３２の機能および構成は実施の形態５と同様である。
【０１２２】
図２５に示すように、実施の形態５と同様に、有色版データ５１１１が光沢度目標値決定部５１１３への入力となり、光沢制御版データ５１１２（８ｂｉｔｘ１ｐｌａｎｅ）が表面効果領域抽出部５１３１への入力となるとともに、オブジェクト情報５１４０がオブジェクト領域抽出部５１４１への入力となる。
【０１２３】
オブジェクト情報５１４０は、有色版データ５１１１に含まれる描画オブジェクトの位置、サイズおよび属性情報が有色版データ５１１１に紐付いて登録されたデータであり、ＤＦＥ５０は、オブジェクト情報をホスト装置１０から受信する。本実施形態では、オブジェクト情報５１４０の属性情報としては、Ｔｅｘｔ、Ｌｉｎｅ、Ｓｍｏｏｔｈ  Ｓｈａｄｅ、Ｉｍａｇｅの４種類があるが、これらに限定されるものではない。
【０１２４】
対象オブジェクトテーブル５１４２は、有色版データ５１１１から抽出するオブジェクトが登録されたテーブルである。
【０１２５】
オブジェクト領域抽出部５１４１は、有色版データ５１１１に紐付いたオブジェクト情報５１４０から、対象オブジェクトテーブル５１４２を参照して、特定の描画オブジェクトの領域であるオブジェクト領域を抽出する。色分解量決定部５１１５は、オブジェクト領域抽出部５１４１で抽出されたオブジェクト領域に対して、各有色材の色分解量を決定する。色分解処理部５１１７は、オブジェクト領域抽出部５１４１で抽出されたオブジェクト領域に対して、色分解量決定部５１１５で決定された色分解量に基づいて、色の置換を実行する。
【０１２６】
図２６は、実施の形態６にかかる版調整処理の手順を示すフローチャートである。図２７は、実施の形態６において特定のオブジェクト領域のみを抽出した場合について例示する図である。まず、実施の形態１と同様に、光沢度目標値決定部５１１３は、光沢度目標値テーブル５１１４を参照して、各ＣＭＹＫの総量値における光沢度目標値を決定する（ステップＳ３１）。
【０１２７】
次に、実施の形態５と同様に、表面効果領域抽出部５１３１は、光沢制御版データ５１１２に基づいて、光沢制御版データ５１１２から特定の表面効果が付与される領域、すなわち色分解処理の実施対象とする領域を抽出する（ステップＳ５２）。
【０１２８】
次に、オブジェクト領域抽出部５１４１は、有色版データ５１１１に紐付いたオブジェクト情報５１４０から、対象オブジェクトテーブル５１４２を参照して、特定の描画オブジェクトの領域であるオブジェクト領域、すなわち色分解処理の実施対象とする領域を抽出する（ステップＳ７３）。
【０１２９】
例えば、文字と自然画像の光沢度を安定化したいというケースを想定すると、対象オブジェクト５１４２としてはＴｅｘｔ及びＩｍａｇｅオブジェクト領域のみ対象とすれば良い。図２７は、オブジェクト領域抽出部５１４１にてＴｅｘｔ及びＩｍａｇｅオブジェクト領域のみを抽出した場合について例示している。オブジェクト情報５１４０を入力として、オブジェクト領域抽出部５１４１を通して、Ｔｅｘｔ及びＩｍａｇｅオブジェクト領域のみを抽出した領域５１４３を出力としている。
【０１３０】
なお、図２７の例では、Ｔｅｘｔ及びＩｍａｇｅに関する複数のオブジェクトについての領域のみを抽出した場合について例示したが、これに限定されるものではない。例えば、ＬｉｎｅオブジェクトやＳｍｏｏｔｈ  Ｓｈａｄｅオブジェクトを抽出の対象としても良いし、対象オブジェクト数として単一のオブジェクトの領域を抽出するように構成してもよい。
【０１３１】
このようにして得られたオブジェクト領域情報は、色分解量決定部５１１５へ入力される。色分解量決定部５１１５では、当領域情報に対してのみ色分解処理の実施対象とするという条件を更に付加する。そして、その後の色分解処理部５１１７にて色分解処理が実施され、有色色材の量が調整される。具体的なステップＳ３２の色分解量の決定処理、およびステップＳ３３の色分解処理（色の置換処理）については実施の形態１と同様である。
【０１３２】
このように本実施の形態によれば、色分解処理を任意のオブジェクトに該当するオブジェクト領域に対してのみ実施することで、最適な領域に対してのみ光沢度調整を実施することができる。また、本実施の形態によれば、対象とする処理領域を限定することにより
不要な色分解処理を回避することもできる。
【０１３３】
（実施の形態７）
この実施の形態７では、ＤＦＥ５０は、色分解処理後の光沢度に対して、光沢制御版データの色材量を調整している。実施の形態７における印刷システムの構成、ＤＦＥ５０、ＭＩＣ６０、印刷装置３０の機能および構成、および処理の流れについては、実施形態１と共通で重複する部分については説明を省略する。
【０１３４】
図２８は、実施の形態７にかかる版調整部２８５１１の機能的構成を主として示したブロック図である。版調整部２８５１１は、図２８に示すように、光沢度目標値テーブル５１１４と、色分解量決定部５１１５と、有色色材量対光沢度テーブル５１１６と、色分解処理部５１１７と、表面効果領域抽出部５１３１と、表面効果選択テーブル５１３２と、オブジェクト領域抽出部５１４１と、対象オブジェクトテーブル５１４２と、クリア色材量決定部５１５１と、クリア色材量対光沢度テーブル５１５２と、クリア色材量調整部５１５３とを主に備えている。
【０１３５】
ここで、光沢度目標値決定部５１１３、光沢度目標値テーブル５１１４、有色色材量対光沢度テーブル５１１６の機能および構成は、実施の形態１と同様である。また、表面効果領域抽出部５１３１、表面効果選択テーブル５１３２の機能および構成は実施の形態５と同様である。また、オブジェクト領域抽出部５１４１、対象オブジェクトテーブル５１４２の機能および構成は実施の形態６と同様である。
【０１３６】
図２８に示すように、実施の形態６と同様に、有色版データ５１１１が光沢度目標値決定部５１１３への入力となり、光沢制御版データ５１１２（８ｂｉｔｘ１ｐｌａｎｅ）が表面効果領域抽出部５１３１への入力となるとともに、オブジェクト情報５１４０がオブジェクト領域抽出部５１４１への入力となる。
【０１３７】
クリア色材量決定部５１５１は、ＣＭＹＫの有色版データ５１１１に対する色分解処理後の光沢度と、光沢制御版データ５１１２による光沢度と、光沢度目標値とに基づいて、クリア色材の色材量であるクリア色材量を決定する。ここで、クリア色材量決定部５１５１は、光沢制御版データ５１１２による光沢度を、クリア色材量対光沢度テーブル５１５２を参照することで得る。
【０１３８】
図２９は、実施の形態７にかかるクリア色材量対光沢度テーブル５１５２について概念的に例示する図である。図２９では、クリア色材量に対する光沢度を示している。図２９に示す例では、「クリア量が多くなるほど光沢度が高くなる」という特徴を有するクリア色材量対光沢度テーブル５１５２を示している。ただし、クリア色材量対光沢度テーブル５１５２は、これに限定されるものではない。例えば、「クリア色材量の少ない部分と多い部分の光沢度が高く、中間部の光沢度が低くなる」という特徴を有するようにクリア色材量対光沢度テーブル５１５２を構成してもよい。
【０１３９】
色分解量決定部５１１５の実施結果により有色版データによる光沢度が分かるため、クリア色材量決定部５１５１は、この情報とクリア色材量対光沢度テーブル５１５２を参照して得られた情報を用いて、光沢度目標値に対するクリア色材量の過不足度合を算出することができる。
【０１４０】
図３０は、実施の形態７において、色分解処理後における光沢度の不均一性の補正について概念的に例示する図である。図３０では、光沢度目標値の値をＴｇｔ、Ｔｇｔと有色色材量対光沢度テーブル５１１６のグラフとの交点となる２箇所の点において、その際の入力データにおけるＣＭＹＫ総量値をＡ及びＣ、光沢度が最少となる箇所のＣＭＹＫ総量値をＢ、ＣＭＹＫ総量値の最小値を０、最大値をＭＡＸとしている。
【０１４１】
ここで、色分解処理部５１１７を通して、総量値の各区間において光沢度Ｔｇｔを光沢度目標値として、ＣＭＹ値とＫ値の間における色置換が実施されるが、実際に色置換が実施できる量には限りがあり、必ずしも色置換実施によって光沢度がＴｇｔ値の通りになるとは限らない。例えば、図３０中の「色分解処理後の光沢度」のグラフのようになる場合が考えられる。
【０１４２】
そこで、クリア色材量決定部５１５１はクリア色材量を決定し、クリア色材量調整部５１５３は、Ｔｇｔ値に対して、クリア色材量を調整することで、最終的なＴｇｔ値の達成を狙う。
【０１４３】
クリア色材量調整部５１５３においては、図３０の例の場合、入力データにおけるＣＭＹＫ値の総量の区間０〜Ａにおいては、光沢度がＴｇｔ値に近づくように光沢度を削減する。クリア色材量決定部５１５１は、その際の光沢度の削減量を元に、図２９に示すクリア色材量対光沢度テーブル５１５２を参照することで、クリア色材の削減量を決定する。クリア色材量調整部５１５３は、区間Ａ〜Ｂにおいては、Ｔｇｔ値に近づくようにクリア色材量を増加する。クリア色材量決定部５１５１は、その際の光沢度の増加量を元に、図２９に示すクリア色材量対光沢度テーブル５１５２を参照することでクリア色材の増加量を決定し、クリア色材量調整部５１５３がクリア色材量を増加する。同様に区間Ｂ〜Ｃにおいても、クリア色材量決定部５１５１がＴｇｔ値に近づくようにクリア色材量を決定して、クリア色材量調整部５１５３がクリア色材量を増加する。区間Ｃ〜Ｍａｘにおいては、区間０〜Ａの場合と同様に、クリア色材量決定部５１５１はクリア色材量を削減させるようにクリア色材量を決定し、クリア色材量調整部５１５３がクリア色材量を減少させる。以上のようにして、光沢度Ｔｇｔの実現を目指す。
【０１４４】
図３１は、実施の形態７にかかる版調整処理の手順の一例を示すフローチャートである。ステップＳ３１の光沢度目標値の決定からＳ３３の色分解までの処理については、実施の形態６と同様に行われる。
【０１４５】
色分解処理が完了したら、クリア色材量決定部５１５１は、クリア色材量対光沢度テーブル５１５２を参照して、光沢度目標値を満たすためのクリア色材量を決定する（ステップＳ９４）。そして、クリア色材量調整部５１５３は、クリア色材量をステップＳ９４で決定されたクリア色材量に調整する（ステップＳ９５）。
【０１４６】
このように本実施形態では、色分解処理部５１１７による光沢度調整だけでなく、最終的にクリア色材量調整部５１５３によるクリア色材の量の調整処理も行っているので、光沢度が調整される。その結果、有色版データ’５１２１及び光沢制御版データ’５１２２が版調整部５１１の出力として得られる。
【０１４７】
なお、最終的に出力として得られた有色版データ及び光沢制御版データの色材量の総和において、後段のエンジンが規定する総量を超えるようなことがあれば、一般的な総量規制処理を用いて色材の総量を一定値内に規制するような処理を実施しても良い。
【０１４８】
（実施の形態８）
実施の形態１〜７では、有色色材の色材量を調整し、全面の光沢差を解消することで印刷品質を向上させ、かつクリア色材のコストを抑制している。ここで、光沢度を調整する際に、用紙への印刷前に光沢度を視覚的に確認するために、クリアトナーの有無や光沢トナーの量、使用している用紙等の設定に応じた光沢度のプレビュー表示処理を行う技術が知られている。
【０１４９】
従来の光沢度の調整方法としては、目標とする光沢度に対して乖離する部分に対し、有色色材側の各色材量の配分を変更し、有色色材の総量を調整する方法がある。しかしながら、調整できる量には限界があり、実際には光沢度差が完全に解消できるとは限らなかった。このため、ユーザは、目標とする光沢度に対して、その光沢度がどの程度まで実現できたかを印刷するまで把握することができない。
【０１５０】
このため、本実施の形態では、目標とする光沢度（光沢度目標値）に対して、印刷時にどの程度実現できるかどうかを事前にシミュレーションし、可視化することにより、印刷前時点での光沢度をユーザに確認させることを可能としている。
【０１５１】
実施の形態８における印刷システムの構成、ＭＩＣ６０、印刷装置３０の機能および構成、および処理の流れについては、実施形態１と共通で重複する部分については説明を省略する。図３２は、実施の形態８にかかるＤＦＥ３２５０の機能的構成を示すブロック図である。
【０１５２】
ＤＦＥ３２５０は、図３２に例示されるように、レンダリングエンジン５１と、版調整部５１１と、プレビュー処理部５１３と、ｓｉ１部５２と、ＴＲＣ(Tone  Reproduction  Curve)５３と、ｓｉ２部５４と、ハーフトーンエンジン５５と、クリアプロセッシング５６と、ｓｉ３部５７と、入力部５８と、表示部５９とを有する。ここで、レンダリングエンジン５１、版調整部５１１、ｓｉ１部５２、ＴＲＣ５３、ｓｉ２部５４、ハーフトーンエンジン５５、クリアプロセッシング５６、ｓｉ３部５７、入力部５８、表示部５９の機能および構成については実施の形態１と同様である。
【０１５３】
プレビュー処理部５１３は、印刷データのプレビュー画像を生成して、生成されたプレビュー画像を表示部５９に表示する。
【０１５４】
図３３は、実施の形態８にかかる版調整部５１１とプレビュー処理部５１３の機能的構成を示すブロック図である。図３３に示すように、版調整部５１１の機能的構成は、図１０で示した実施の形態１の版調整部５１１と同様である。
【０１５５】
プレビュー処理部５１３は、図３３に示すように、乖離度算出部３３０１と、プレビュー画像生成部３３０２とを備えている。乖離度算出部３３０１は、ＣＭＹＫの各有色版データ５１１１を入力し、色分解処理部５１１７によるＣＭＹＫの有色版データ５１１１に対する色分解処理後の光沢度と、版調整部５１１の光沢度目標値決定部５１１３で決定された光沢度目標値との差分である乖離度を算出する。
【０１５６】
図３４は、実施の形態８にかかる乖離度を乖離度を概念的に説明するための図である。図３４の例では、ターゲットとする光沢度目標値に対して、色分解処理部５１１７により色分解処理を実行することで、入力画像データとなる有色版データ５１１１の光沢度が、色分解処理前の光沢度から改善されて光沢度目標値に近くはなるものの、色分解処理後の光沢度は光沢度目標値から乖離しているという状況が示されている。そして、図３４には、光沢度目標値とと、色分解処理後の光沢度の差分の絶対値が乖離度として示されている。
【０１５７】
このように光沢度の乖離は入力画像全体を通して少なからずあり、その度合いの大小は各画素のＣＭＹＫ値の総量に応じて異なるため、これを入力画像上で可視化することで乖離度を把握し易くできる。このため、本実施の形態では、以下に説明するように、乖離度が大きい領域を可視化してプレビュー表示している。
【０１５８】
なお、図３４の例では、光沢度目標値と、それに対する色分解処理後の光沢度の差分の絶対値を乖離度としているが、これに限定されるものではなく、任意の算出式を用いて乖離度を算出するように乖離度算出部３３０１を構成してもよい。
【０１５９】
プレビュー画像生成部３３０２は、ＣＭＹＫの有色版データ５１１１のプレビュー画像を生成する。具体的には、プレビュー画像生成部３３０２は、ＣＭＹＫの有色版データ５１１１において、乖離度算出部３３０１で算出された乖離度が所定値以上の領域を他の領域と区別してプレビュー画像を生成する。プレビュー画像生成部３３０２は、生成したプレビュー画像を表示部５９に送出する。これにより、表示部５９はプレビュー画像を表示する。
【０１６０】
図３５は、実施の形態８にかかる版調整処理およびプレビュー画像生成処理の手順の一例を示すフローチャートである。まず、光沢度目標値決定部５１１３は、実施の形態１と同様に、光沢度目標値テーブル５１１４を参照して、各ＣＭＹＫの総量値における光沢度目標値を決定する（ステップＳ３１）。
【０１６１】
次に、印刷対象とする画像データである有色版データ５１１１の各画素に対して、以下のステップＳ３２、Ｓ３３、Ｓ３５０１、Ｓ３５０２の処理が実行される。ステップＳ３２では、色分解量決定部５１１５が、実施の形態１と同様に、有色色材量対光沢度テーブル５１１６を参照して、上述したように、光沢度目標値を満たすための色分解量を決定する（ステップＳ３２）。すなわち、色分解量決定部５１１５は、有色色材量対光沢度テーブル５１１６を元にＣＭＹＫ値の総量に対する光沢度を参照し、これと光沢度目標値との差を元に、光沢度の不均一性がどの程度発生しているかを判断し、色分解処理をどの程度実施すべきかを決定する。これにより、色分解処理後のカラー版の光沢度がどの程度になるのかが決定される。そして、色分解量決定部５１１５は、決定された色分解量に基づいて色分解処理を行う（ステップＳ３３）。
【０１６２】
以上から、光沢度目標値と色分解処理後のカラー版の光沢度の情報を得ることができるので、色分解処理が終了したら、この情報に基づいて、乖離度算出部３３０１は、ステップＳ３１で決定された光沢度目標値と、ステップＳ３３による色分解処理後の有色版データ５１１１の光沢度を比較して、両者の差分を求めることにより、乖離度を算出する（ステップＳ３５０１）。
【０１６３】
次に、プレビュー画像生成部３３０２は、乖離度に応じたプレビュー画像を生成して、生成したプレビュー画像を表示部５９に表示する（ステップＳ３５０２）。
【０１６４】
図３６は、実施の形態８においてプレビュー画像が生成される流れを例示する図である。プレビュー画像生成部３３０２は、入力画像である有色版データ５１１１に対して、各画素におけるＣＭＹＫ総量値を調査し、乖離度の値の大きさと濃度を合わせてマッピングすることで、プレビュー結果５１３３のようなプレビュー画像を生成することができる。例えば、図３６に示すプレビュー結果５１３３のプレビュー画像では顔と両手の部分は乖離度が高く、胴と背景の部分は特に乖離は発生していない、というプレビュー結果が得られているのが分かる。
【０１６５】
なお、図３６の例示は、乖離度の値の大きさをそのまま濃度として表現し、入力画像にマッピングさせているが、これに限定されるものではない。例えば、図３７に示すように、プレビュー画像生成処理を通して、一定の乖離度以上の画素領域のみを抽出して表示するようにプレビュー画像生成部３３０２を構成してもよい。
【０１６６】
このように本実施の形態では、ＤＦＥ３２５０が光沢度目標値と色分解処理後の光沢度との乖離度に応じたプレビュー画像を生成して表示しているので、ユーザはプレビュー画像を印刷実施前に表示部５９で確認し判断することで、印刷設定を見直したり、入力画像そのもののデザインを見直したりすることができ、不要な印刷も回避することができる。
【０１６７】
すなわち、クリアトナーは有色トナーと比較して高価なものであり、印刷コストが嵩んでしまうが、本実施の形態により、印刷前に、狙いの光沢度目標値の光沢度を実現できそうか否かをユーザが確認することができる。これにより、ユーザは、使用する用紙、クリア版の設定、光沢度に乖離がある部分のデザイン（ＣＭＹＫ値）、使用するプロファイルの設定、総量規制値等の原稿設定や印刷設定を見直すことができる。このため、本実施の形態によれば、無駄な印刷を少なくすることができ、クリアトナーの使用を節約することが可能となる。
【０１６８】
（変形例１）
なお、さらに、乖離度が所定値以上の画素の画素値と頻度の一覧を、プレビュー画像の一部として生成するようにプレビュー画像生成部３３０２を構成することができる。図３８は、変形例１にかかる、乖離度が所定値以上の画素の画素値と頻度の一覧を示す図である。図３８では、光沢度目標値から乖離している画素値（ＣＭＹＫ）について、頻度の高い順にリストアップした例を示している。このようにしてプレビュー画像生成部３３０２は、生成した一覧を、プレビュー結果５１３３の一部として（プレビュー画像として）、図３６や図３７の表示例とともに表示部５９に表示する。
【０１６９】
このようにプレビュー画像生成部３３０２が、光沢度の乖離度の大きさと、画素そのものの色値及び頻度について、具体的な値をリストアップすることでプレビュー表示時の客観性をより向上させることができる。
【０１７０】
なお、図３８の例では、上位４個までの画素値について例示しているが、４個に限定されるものではない。また、図３８の例では、画素値としてＣＭＹＫ値を例示しているが、これに限定されるものではなく、例えば、任意のＣＭＹＫプロファイル等を利用してＣＭＹＫ値をＬａｂ値に変換して表示させるようにプレビュー画像生成部３３０２を構成してもよい。
【０１７１】
（変形例２）
さらに、乖離度が０以上の画素について、ガマット上での位置と有色版データ上の位置関係を示す画像を、プレビュー画像の一部として生成するようにプレビュー画像生成部３３０２を構成してもよい。
【０１７２】
図３９は、変形例２において、光沢度目標値から乖離している各画素に対するガマット上での位置と入力画像である有色版データ上の位置との関係について表示する例を示す図である。プレビュー画像生成部３３０２は、図３９に示す画像を、プレビュー結果５１３３の一部として、すなわちプレビュー画像の一部として生成する。
【０１７３】
なお、図３９では４か所までの画素領域について例示しているが、４箇所に限定されるものではない。
【０１７４】
このように、プレビュー画像生成部３３０２が、入力画像内における光沢度の乖離度の大きい部分を可視化し、またガマット上での対応位置も把握することで、ユーザはプレビュー表示時に直観的に乖離度を把握し易くなり、客観性をより向上させることができる。
【０１７５】
（変形例３）
乖離度を算出した後さらに、乖離度を、立体的な高さ情報に変換するように乖離度算出部３３０１を構成し、変換された立体的な高さ情報を合成してプレビュー画像を生成するようにプレビュー画像生成部３３０２を構成してもよい。
【０１７６】
図４０は、変形例３において、光沢度目標値からの乖離度を立体的な高さ情報に変換して表示する例を示す図である。プレビュー画像生成部３３０２は、図４０に示す画像を、プレビュー結果５１３３の一部として、すなわちプレビュー画像の一部として生成する。
【０１７７】
なお、図４０では、一定の乖離度以上の画素領域のみを対象として立体的に可視化した場合について例示しているが、一定の乖離度以上の表示に限定されるものではない。
【０１７８】
このように、プレビュー画像生成部３３０２が、入力画像内における光沢度の乖離度の大きさを立体的に可視化することにより、ユーザはプレビュー表示時に直観的に乖離度を把握し易くなり、客観性をより向上させることができる。
【０１７９】
なお、上記実施の形態１〜８および変形例で実行される印刷制御プログラム、版調整プログラム、プレビュー処理プログラムは、ＲＯＭ等に予め組み込まれて提供される。
【０１８０】
上記実施の形態１〜８および変形例で実行される印刷制御プログラム、版調整プログラム、プレビュー処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１８１】
さらに、上記実施の形態１〜８および変形例で実行される印刷制御プログラム、版調整プログラム、プレビュー処理プログラムを、インターネット等のネットワークに接続されたコンピュータ上に格納し、ネットワーク経由でダウンロードさせることにより提供するように構成しても良い。また、上記実施の形態１〜８および変形例で実行される印刷制御プログラム、版調整プログラム、プレビュー処理プログラムをインターネット等のネットワーク経由で提供または配布するように構成しても良い。
【０１８２】
上記実施の形態１〜８および変形例で実行される印刷制御プログラム、版調整プログラム、プレビュー処理プログラムは、上述した各部を含むモジュール構成となっており、実際のハードウェアとしてはＣＰＵ（プロセッサ）が上記ＲＯＭから各プログラムを読み出して実行することにより上記各部が主記憶装置上にロードされて各部が主記憶装置上に生成されるようになっている。
【０１８３】
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【符号の説明】
【０１８４】
１０  ホスト装置
５０  ＤＦＥ
５１  レンダリングエンジン
５２  ｓｉ１部
５３  ＴＲＣ
５４  ｓｉ２部
５５  ハーフトーンエンジン
５６  クリアプロセッシング
５７  ｓｉ３部
６０  ＭＩＣ
７０  プリンタ機
８０  グロッサ
９０  低温定着機
５１１  版調整部
５１３  プレビュー処理部
３３０１  乖離度算出部
３３０２  プレビュー画像生成部
５１１１，５１２１  有色版データ
５１１２，５１２２  光沢制御版データ
５１１３  光沢度目標値決定部
５１１４  光沢度目標値テーブル
５１１５  色分解量決定部
５１１６  有色色材量対光沢度テーブル
５１１７  色分解処理部
５１３１  表面効果領域抽出部
５１３２  表面効果選択テーブル
５１４０  オブジェクト情報
５１４１  オブジェクト領域抽出部
５１４２  対象オブジェクトテーブル
５１５１  クリア色材量決定部
５１５２  クリア色材量対光沢度テーブル
５１５３  クリア色材量調整部
【先行技術文献】
【特許文献】
【０１８５】
【特許文献１】特開２０１１−１５０１５８号公報
【特許文献２】特開２０１１−４３６８３号公報
【特許文献３】特開２００７−１８３５９３号公報
【特許文献４】特開２００６−１６８１０７号公報
【図１】
2014199644.tif 000003
【図２】
2014199644.tif 000004
【図３】
2014199644.tif 000005
【図４】
2014199644.tif 000006
【図５】
2014199644.tif 000007
【図６】
2014199644.tif 000008
【図７】
2014199644.tif 000009
【図８】
2014199644.tif 000010
【図９】
2014199644.tif 000011
【図１０】
2014199644.tif 000012
【図１１】
2014199644.tif 000013
【図１２】
2014199644.tif 000014
【図１３Ａ】
2014199644.tif 000015
【図１３Ｂ】
2014199644.tif 000016
【図１４】
2014199644.tif 000017
【図１５】
2014199644.tif 000018
【図１６】
2014199644.tif 000019
【図１７】
2014199644.tif 000020
【図１８】
2014199644.tif 000021
【図１９】
2014199644.tif 000022
【図２０】
2014199644.tif 000023
【図２１】
2014199644.tif 000024
【図２２】
2014199644.tif 000025
【図２３】
2014199644.tif 000026
【図２４】
2014199644.tif 000027
【図２５】
2014199644.tif 000028
【図２６】
2014199644.tif 000029
【図２７】
2014199644.tif 000030
【図２８】
2014199644.tif 000031
【図２９】
2014199644.tif 000032
【図３０】
2014199644.tif 000033
【図３１】
2014199644.tif 000034
【図３２】
2014199644.tif 000035
【図３３】
2014199644.tif 000036
【図３４】
2014199644.tif 000037
【図３５】
2014199644.tif 000038
【図３６】
2014199644.tif 000039
【図３７】
2014199644.tif 000040
【図３８】
2014199644.tif 000041
【図３９】
2014199644.tif 000042
【図４０】
2014199644.tif 000043